(57)【要約】      （修正有）【課題】遺骨の識別証明を確実に行うことができ、骨壺を廃棄処分した場合でも識別情報を維持管理でき、また識別証明プレートの修復あるいは復元が容易にでき、しかも心的にも好まれ、識別証明プレートの準備を短時間で行うことができ、骨壺の種類や形状を問わない遺骨の識別証明方法を提供する。【解決手段】骨壺１１内に収納される遺骨５１を、識別情報が表示された識別証明プレート１ａによって識別証明するようにした遺骨の識別証明方法において、透明な二枚の石英基板のそれぞれの内部に、光照射によって、共通の識別情報を表記して識別証明プレート１ａ、１ｂを二枚作成する識別証明プレート作成工程と、二枚の識別証明プレート１ａ、１ｂを、遺骨５１の上方と下方とに配置するようにした識別証明プレート配置工程とを具えている。【選択図】図２
2006320393.tif 000002
【特許請求の範囲】
【請求項１】
骨壺内に収納される遺骨を、識別情報が表示された識別証明プレートによって識別証明するようにした遺骨の識別証明方法において、
透明な二枚の石英基板のそれぞれの内部に、レーザー光の照射によって、共通の識別情報を表記して前記識別証明プレートを二枚作成する識別証明プレート作成工程と、
前記二枚の識別証明プレートを、骨壺内の、遺骨の上方と下方とに配置するようにした識別証明プレート配置工程
とを具えていることを特徴とする遺骨の識別証明方法。
【請求項２】
前記識別証明プレート配置工程は、
前記二枚の識別証明プレートのうちの一方の識別証明プレートを、骨壺内への遺骨の収納に先立ち、該骨壺内に配置する第一の識別証明プレート配置工程と、
該一方の識別証明プレートが配置された骨壺内に、遺骨が収納された後、前記二枚の識別証明プレートのうちの他方の識別証明プレートを、前記骨壺内に配置する第二の識別証明プレート配置工程
とを具えていることを特徴とする請求項（１）記載の遺骨の識別証明方法。
【請求項３】
前記識別証明プレート作成工程に先立ち、
二枚の石英基板を用意し、該石英基板を研磨によって透明にする研磨工程を具えていることを特徴とする請求項（１）記載の遺骨の識別証明方法。
【請求項４】
前記識別証明プレート作成工程に先立ち、
前記識別証明プレートに表記される標準情報を予め用意する標準情報準備工程を具えていることを特徴とする請求項（１）記載の遺骨の識別証明方法。
【発明の詳細な説明】
【技術分野】
【０００１】
本発明は、骨壺内に収納される遺骨を識別証明する遺骨の識別証明方法に関し、特に、識別証明プレートによって遺骨の識別証明を行う遺骨の識別証明方法に関する。
【背景技術】
【０００２】
遺骨は骨壺に収納され、長期的に保存されるのが一般的である。  
その骨壺内の遺骨を識別する方法として、故人の生前の名前その他の故人を識別する情報（以下、「識別情報」という。）を基板に表記したプレート（以下、「識別証明プレート」という。）を、骨壺に装着する、あるいは骨壺内に配置する方法がある。  
識別証明プレートを用いた従来の遺骨の識別証明方法  
識別証明プレートを用いた従来の遺骨の識別証明方法では、通常、骨壺内に遺骨を収納した後、一枚の識別証明プレートを、骨壺に装着する又は骨壺内に配置するようにしており、該一枚の識別証明プレートに記載された識別情報を確認することによって、遺骨が誰のものであるかを識別することができる。
【０００３】
この方法に用いられる従来の識別証明プレートは、通常、金属、樹脂や磁器によって形成されたプレートに、顔料を含む油性ペイントや墨などで識別情報を表記したものである。 
例えば、従来の識別証明プレートには、星型の金属板の表面に識別情報に刻んで表記したものであって骨壺の上に被せるように骨壺に装着するもの（特許文献１参照。）や、銅板に識別情報を凸状に表示加工を施し、これを骨壺に装着するようにしたものがある。  
また磁器の一面に識別情報を焼き付けるようにした磁器製表示プレートを、骨壺内に挿入するようにしたものもある（特許文献２参照。）。  
また、透明樹脂のネ−ム板の一面に識別情報を記載するとともに、該一面を皿状の基体と面合して着設するようにしたお骨証明プレ−トを、骨壺内に配置するようにしたものもある（特許文献３参照。）。
【０００４】
なお、遺骨の識別証明方法としては、上述のような識別証明プレートを用いることなく、識別情報を骨壺に彫刻表記する方法、たとえば露光用マスクを用いて骨壺に識別情報を彫刻表記する方法もある（特許文献４参照。）。このような骨壺と一体化した表示方法に合わせて、近年では、故人が生前に骨壺を陶芸家に依頼して準備する方法も利用されているが、あまり普及していないのが現状である。
【特許文献１】実用新案登録第第３１０１６４６号公報
【特許文献２】特開２００２−２００１２９号公報
【特許文献３】実開平７−０３３３２４号公報
【特許文献４】特開平９−１７３３９６号公報
【発明の開示】
【発明が解決しようとする課題】
【０００５】
ところで、上述した従来の識別証明プレートを用いた遺骨の識別証明方法では、以下の問題点がある。
【０００６】
（１）遺骨の識別証明が確実に行われない  
上述した従来の識別証明プレートを用いた遺骨の識別証明方法では、一枚の識別証明プレートを遺骨収納後に骨壺に装着する又は配置し、該一枚の識別証明プレートによって遺骨を識別するようにしているから、遺骨の識別情報と異なる識別情報が表記された識別証明プレートが、遺骨収納後に誤って骨壺内に配置される虞があり、遺骨の識別証明の信頼性に欠けるという問題があった。
【０００７】
（２）骨壺の廃棄処分を行うと、故人の識別情報が残らない  
永代供養墓地においては、代を重ねるごとに骨壺の数が増加して、それらを納めるカロート（遺骨棺）のスペース不足が発生すると共に、骨壺内に収められた遺骨も風化によって消滅する。したがって、空となった骨壺の廃棄処分が検討され得る。しかし、識別証明プレートを用いることなく骨壺表面に識別情報を一体表示している従来の遺骨の識別証明方法では、骨壺自体を廃棄すると、遺骨の識別情報も失われる。
【０００８】
（３）識別証明プレートの修復あるいは復元が困難  
図５は、骨壺の配置環境を示す概念図である。  
図５で示すように、識別証明プレートを収納または装着する骨壺１１は、墓石２１の下方に位置するカロート（遺骨棺）２２内に配置される。このような骨壺１１の配置環境を考慮すると、識別証明プレートには、昆虫や微生物の排泄物など予測できない付着物が発生する。  
なお、骨壺１１内の識別証明プレートは、通常、長期にわたり目視での観察ができない状況におかれるから、付着物が発生して付着した状態が長期間維持されることも考えられる。  
従来の遺骨の識別証明方法では、金属、樹脂又は磁器によって形成された識別証明プレートを用いるとともに、該識別証明プレートの表面に識別情報を表記していたから、識別証明プレートに付着した付着物を除去するために、識別証明プレートの表面を削ると識別情報も削られることとなって遺骨の識別証明ができなくなる。  
したがって、上記した付着物の除去をすることが事実上困難であり、そのため識別証明プレートの修復あるいは復元が困難であった。
【０００９】
（４）金属及び樹脂等の材料は、心的にも好まれない  
仏事や神事に用いられる素材としては、古来から天然の水晶が多く用いられてきたことを思うと、識別証明プレートの材質は、天然の水晶に近い材料の選択が必要であり、遺骨の証明・識別方法に、金属及び樹脂などの材料を用いることは、心的にも好まれない一面がある。
【００１０】
（５）識別証明プレートの準備に時間がかかる  
従来の遺骨の識別証明方法では、金属、樹脂又は磁器によって形成された識別証明プレートを用いるとともに、該識別証明プレートの表面に識別情報を表記していたから、識別証明プレートの製造依頼後、製造に長い時間を要し、識別証明プレートが火葬前の読経・司祭・祝詞などによる供養又は祈祷に間に合わないことがあった。
【００１１】
（６）骨壺が限定される  
従来の遺骨の識別証明方法のうち識別情報を骨壺に彫刻表記する方式の場合、遺骨は、その識別情報が表記した骨壺のみにしか収容し得ない。
【００１２】
上述した事情に鑑み、本発明は、遺骨の識別証明を確実に行うことができ、骨壺を廃棄処分した場合でも識別情報を維持管理でき、また識別証明プレートの修復あるいは復元が容易にでき、しかも心的にも好まれ、識別証明プレートの準備を短時間で行うことができ、骨壺の種類や形状を問わない遺骨の識別証明方法を提供することを目的とする。
【課題を解決するための手段】
【００１３】
上記課題を解決するため、本発明は、骨壺内に収納される遺骨を、識別情報が表示された識別証明プレートによって識別証明するようにした遺骨の識別証明方法において、透明な二枚の石英基板のそれぞれの内部に、レーザー光の照射によって、共通の識別情報を表記して前記識別証明プレートを二枚作成する識別証明プレート作成工程と、前記二枚の識別証明プレートを、骨壺内の、遺骨の上方と下方とに配置するようにした識別証明プレート配置工程とを具えている。
【発明の効果】
【００１４】
本発明は、骨壺内に収納される遺骨を、識別情報が表示された識別証明プレートによって識別証明するようにした遺骨の識別証明方法において、透明な二枚の石英基板のそれぞれの内部に、レーザー光の照射によって、共通の識別情報を表記して前記識別証明プレートを二枚作成する識別証明プレート作成工程と、前記二枚の識別証明プレートを、骨壺内の、遺骨の上方と下方とに配置するようにした識別証明プレート配置工程とを具えているから、遺骨の上方と下方に二枚の石英からなる識別証明プレートが配置されることによって、骨壺にて遺骨を長期保存するにあたり、遺骨の識別証明を確実に行うことができ、骨壺を廃棄処分した場合でも識別証明プレートのみを残すことにより故人の識別情報を維持管理でき、しかも、石英からなる識別証明プレートのため心的にも好まれるとともに耐薬品性、耐触性および耐熱性を有し、また故人の識別情報を光エネルギー照射技術により識別証明プレートの内部へ表記しているので、識別証明プレートの修復あるいは復元が容易にでき、また識別証明プレートの準備を短時間で行うことができ、さらにどんな種類や形状の骨壺にも適用できる。  
また、上述のように故人の識別情報を維持管理しつつ骨壺を廃棄処分することができるから、永代供養墓地においてカロートが万杯となった時、カロートのスペース改善と確保ができる。  
したがって、本発明の遺骨の識別証明方法は、長期保存する遺骨の識別証明方法として最適である。
【発明を実施するための最良の形態】
【００１５】
本発明の遺骨の識別証明方法について、以下の実施例により説明する。
【００１６】
図１は、本発明の遺骨の証明方法に用いられる識別証明プレートの一例を示す概念図で、特に図１（ａ）は該識別証明プレートの概念平面図であり、図１（ｂ）は該識別証明プレートの概念正面図である。また、図２乃至図４は、本発明の遺骨の識別証明方法の手順を示す概念図で、骨壺内の様子を示す図である。
【００１７】
本発明の実施例の遺骨の識別証明方法（以下、単に「識別証明方法。」という）は、骨壺内に収納される遺骨を、識別情報が表示された識別証明プレートによって識別証明するようにした遺骨の識別証明方法において、図１で示すように透明な二枚の石英基板のそれぞれの内部に、レーザー光の照射によって、共通の識別情報２を表記して識別証明プレート１ａ、１ｂを二枚作成する識別証明プレート作成工程と、図２で示すように、二枚の識別証明プレート１ａ、１ｂを、骨壺１１内の、遺骨５１の上方（鉛直上方）と下方（鉛直下方）とに配置するようにした識別証明プレート配置工程とを具えている。
【００１８】
また、発明の実施例の識別証明方法では、上述した識別証明プレート作成工程に先立ち、二枚の石英基板を用意し、該石英基板を研磨によって透明にする研磨工程も具えている。
【００１９】
研磨工程で準備される石英材の選定  
この研磨工程で準備される石英の材料は、天然の水晶と同一元素記号ＳｉＯ２で表示される石英材とする。  
また一般的に、石英には、溶融を製法とする溶融石英と、化学的な合成による合成石英とに区分され、加工技術や工程により種類も多く分かれている。それぞれの石英において、光学的に固有な特性を有しており、光の屈折や分散によっては、光エネルギー照射の加工に適したものとそうでないものがあり、そのような性質は、一般的には組成の不均一化によって発生する、脈理と称される現象によって判断することができる。  
本発明の研磨工程で準備される石英材は、光エネルギー照射の加工に適した石英である脈理のない石英とする。なお、石英材の特性が証明できないものは、シュリーレン法による脈理検査や、含有するＯＨ基の量を測定して脈理の有無を判定して、脈理のない石英材を選択する。  
研磨工程での加工方法と石英基板の標準寸法  
準備された石英材は、研磨前に、標準寸法に切断され、石英基板とされる。  
石英基板の標準寸法は、本発明における主な加工基板の寸法は利用する素材にもよるが、標準は横４８ｍｍ×縦４８ｍｍ×厚さ６．３ｍｍの平板とする。但し、価格面での制限と、利用する材料の素材時の寸法が可能であればこの限りではない。現状では、最大横３００ｍｍ×縦３００ｍｍ×厚さ２００ｍｍ程度までが可能である。  
また、石英材の切断や石英基板の研磨加工は光学レンズ加工技術を転用することができる。  
特に切断形状としての外形加工には、最新技術であるウォータージェット切断により、多くの特殊形状にすることができる。なお、外形のみであれば、蓮の花などの形状も容易である。  
石英基板は二枚一組として製造する。また、二枚の石英基板を研磨した場合、透明な二枚の石英基板が作成される。また所定寸法にされ、かつ透明にされた石英基板は、組数を単位として、予め在庫として保持しておく。  
標準情報準備工程   
発明の実施例の識別証明方法では、識別証明プレート作成工程に先立ち、識別証明プレートに表記される標準情報を予め用意する標準情報準備工程をも具えている。この標準情報準備工程は、上記研磨工程と並列的に行われる。  
標準情報準備工程は、ＩＴ技術を導入し、識別情報２とともに石英基板に記載される共通的な絵柄などのデ−タ（以下、「標準情報」という。）を、予め記憶媒体にファイルとして記録しておくものである。
【００２０】
識別証明プレート作成工程    
識別証明プレート作成工程とは、上述のように、透明な二枚の石英基板のそれぞれの内部に、レーザー光の照射によって、共通の識別情報２を表記して、図１で示す二枚の識別証明プレート１ａ、１ｂを作成する工程である。  
また、識別証明プレート作成工程では、施主や遺族の要望によって選択された上記標準情報も、レーザー光の照射によって、透明な二枚の石英基板のそれぞれの内部に表記する。なお、図１（ｂ）では、標準情報が何ら選択されなかった場合を図示している。  
本発明の石英基板表記工程では、ＹＡＧレーザーである第二高調波を用いて二次元および三次元のイメージを４０μｍのスポット径で、マイクロクラックを形成する。これにより形成されるマイクロクラックの数は、数十万にも及ぶ。  
またこの表記方法は、非接触な加工のため、鏡面研磨された材料であるクォーツ（石英）の表面に何ら悪影響は生じない。また、加工機には、レーザーマーカーなどを搭載して、石英基板に対する識別情報の位置あわせを実施する。そのため、識別情報や標準情報の各表記位置が、石英基板に対してズレたり、曲がったりすることは可及的に防止される。  
また、このレーザー加工技術によると、水や油を使用しないドライな雰囲気で加工するため、洗浄などの手間がなく、石英基板への表記時間の短縮を図ることができる。  
なお、上述した光エネルギー照射技術（レーザーマーキング加工）は、ガラスや樹脂などの透明な材料の内部に表面にダメージを与えず二次元および三次元の加工ができ、レーザーマーキング加工として多く利用されているものである。この加工方法は、特にクリスタルと称される透明ガラスや樹脂などへの加工として一般化している。しかし、石英を素材とした加工は、石英が高価であるために、産業用の目的が多く、このような用途ではあまり実施されていない。このレーザー加工技術分野では、微細化表現やカラー表示などの開発が更に進められている。  
一方で、本レーザーマーキング加工で、内部応力によって発生する歪は、アニーリングと称する熱処理によって除去することも必要である。
【００２１】
また、マーキング加工により表記する識別情報２は、図１（ｂ）で示すように、俗名、年齢、生年月日、没年月日その他の故人を識別するのに必要な内容とする。俗名、年齢、生年月日、および没年月日は、故人が死亡してから間もない段階（初期段階）で入手可能な識別情報であり、少なくともこれらの識別情報２を表記した遺骨の識別証明を対応できる。  
また、故人の識別情報２としては、図１（ｂ）で示すように、墓地の墓誌２３（図５）に記入される内容に加えて、生年月日を西暦と年号の併記することで、明朗な人生の期間を想像することができるようにする。これには、今後に変更するであろう年号をわかり易くする目的がある。  
また、識別情報２は、上記マーキング加工では、一次元加工に限らず、二次元加工や三次元加工によって文字、図形又はその組み合わせを石英基板に内部表記してもよい。また、上記マーキング加工によると、図１（ａ）で示すように、石英基板の内部に識別情報が表記される。  
なお、戒名の決定は通常、故人が死亡してから長時間を要するから、戒名などの石英基板への表記は即日加工の障害となる。したがって、戒名を識別情報２として表記するか否かは施主との打合せ事項とする。  
ただし、例えば、故人の死亡から戒名の決定までの時間が短い場合や、故人の死亡から葬式又は火葬までの時間が長い場合であって、図１（ｂ）で示すように戒名の表記を行ったとしても、葬場のおける骨揚げ時前、故人の火葬前、又は読経・司祭・祝詞などによる供養または祈祷の前に識別証明プレート１ａ、１ｂを納入でき、これにより識別証明プレート配置工程（後述）を、供養または祈祷を済ませてから骨揚げの行事にあわせることができる場合には、識別証明プレート１ａ、１ｂに、戒名の表記も行う。  
また、識別情報２として表記される文字の大きさや書体は、施主や遺族の要望で変更可能である。  
なお、標準情報準備工程及び識別証明プレート作成工程では、ＩＴ技術が取り入れられている。このＩＴ技術とは、故人の識別情報２に応じた文字入力、写真、絵柄及び図形などのスキャニングによる読み取りとそのデザイン化作業と、素材として採用している石英（クォーツ）の特性に合わせた加工情報のデータベース化である。これにより二次元または三次元での表記が可能となり、識別証明プレート１ａ、１ｂを完成できる。またその製法に合わせて、発送・代金決済を含めた一連の作業にＩＴ技術が利用されている。
【００２２】
識別証明プレート配置工程  
識別証明プレート配置工程は、二枚の識別証明プレート１ａ、１ｂのうちの一方の識別証明プレート１ａを、骨壺１１内への遺骨の収納に先立ち、骨壺１１内に配置する第一の識別証明プレート配置工程（図３）と、該一方の識別証明プレート１ａが配置された骨壺１１内に、遺骨５１が収納された後、二枚の識別証明プレート１ａ、１ｂのうちの他方の識別証明プレート１ｂを、前記骨壺５１内に配置する第二の識別証明プレート配置工程（図２）とを具えている。  
より具体的に説明すると、まず、図３で示すように骨壺１１の本体１１ａ内に、二枚の識別証明プレート１ａ、１ｂのうちの一方の識別証明プレート１ａを、骨壺１１内への遺骨５１の収納に先立ち、配置する。次に、図４で示すように骨壺１１の本体１１ａ内に遺骨５１を収納する。その後、図２で示すように、二枚の識別証明プレート１ａ、１ｂのうちの他方の識別証明プレート１ｂを、骨壺１１の本体１１ａ内に配置する。  
すると、識別証明プレート１ａ、１ｂが遺骨５１の下方と上方に収められることによって、骨揚げの時に火葬場の係が、遺骨５１の下方に一方の識別証明プレート１ａを配置し、遺骨５１を収納した後に施主の手で、心を込めて他方の識別証明プレート１ｂを収納することができる。  
また本発明の識別証明方法は、二枚の識別証明プレート１ａ、１ｂを、遺骨５１の下方と上方にそれぞれ配置するのみであるから、識別証明のための作業は単純である。  
なお、他方の識別証明プレート１ｂを骨壺１１の本体１１ａ内に配置した後は、図２で示すように、骨壺１１の本体１１ａを、骨壺１１の蓋体１１ｂで覆い、その後、図５で示すように、カロート２２内に収容する。  
なお、図１乃至図４では、二枚の識別証明プレートを互いに異なる符号１ａ、１ｂで図示しているが、各識別証明プレート１ａ、１ｂは互いに同じ内容が表記されていてもよいし、また識別情報２が少なくとも共通して表示されていれば、識別証明プレート１ａ、１ｂ全体の表示内容が互いに異なっていてもよい。
【００２３】
また、本発明の遺骨５１の識別証明方法では、以下の作用効果を奏する。
【００２４】
（１）識別証明プレートを２枚用いることによって遺骨の識別証明が確実に行われる。  
上述した本発明の識別証明プレートを用いた遺骨５１の識別証明方法では、骨壺１１内に収納される遺骨５１を、識別情報２が表示された識別証明プレート１ａ、１ｂによって識別証明するようにした遺骨の識別証明方法において、透明な二枚の石英基板のそれぞれの内部に、レーザー光の照射によって、共通の識別情報２を表記して前記識別証明プレート１ａ、１ｂを二枚作成する識別証明プレート作成工程と、二枚の識別証明プレート１ａ、１ｂを、骨壺１１内の、遺骨５１の上方と下方とに配置するようにした識別証明プレート配置工程とを具えているから、遺骨５１の下方と上方にそれぞれ識別証明プレート１ａ、１ｂが配置されることとなって、二枚の識別証明プレート１ａ、１ｂを照合することにより、一枚の証明プレートを用いた従来の識別証明方法に比し、遺骨５１の識別証明の信頼性を高めることができる。  
すなわち、骨壺１１内の二枚の遺骨証明プレート１ａ、１ｂが一致する場合には、遺骨５１を識別情報２によって故人を特定することができる。また、骨壺１１内の二枚の遺骨証明プレート１ａ、１ｂが一致しない場合には、骨壺１１内の識別証明プレート１ａ、１ｂが、遺骨収納後に誤って、該遺骨と異なる識別情報が表記された識別証明プレートに置きかえられ骨壺１１内に配置されたと判断できる。したがって、従来に比し、遺骨５１の識別証明の信頼性を高めることができる。  
また、遺骨５１の収納から長い年月を経た後に、数個の骨壺１１を同時に開封する場合もある。その場合には、遺骨５１の上方に配置された識別証明プレート１ｂのみでは、異なる識別証明プレートが混入されること、すなわち識別証明プレートの入れまちがいも予想される。しかし、本発明の遺骨５１の識別証明方法によれば、遺骨５１の上方に配置された識別証明プレート１ｂを、遺骨５１の下方に配置された識別証明プレート１ａと照合させることにより、遺骨５１を識別証明することができる。  
したがって、本発明は、改葬における遺骨５１の識別証明方法として利用できる。  
また、遺骨５１の分骨を行う機会が生じた場合には、１枚づつ分けることで遺骨５１の識別証明効果を維持することもできる。  
なお、本発明の遺骨５１の識別証明方法は、ＤＮＡ鑑定までの必要性を要せずに、識別情報２の表記のみで、識別証明ができるので、簡易的な識別証明方法として有効である。
【００２５】
（２）骨壺を廃棄処分しても識別情報が残る  
永代供養墓地においては、代を重ねるごとに骨壺１１の数が増加して、それらを納めるカロート２２のスペ−ス不足が発生すると共に、骨壺１１内の遺骨も風化によって消滅する。したがって、空となった骨壺１１の廃棄処分し、これによりカロート２２のスペースの改善又は確保をすることが検討され得る。  
本発明の識別証明方法を使用した場合には、骨壺１１を廃棄処分するとき、識別証明プレート１ａ、１ｂのみを残すことができるので、故人の識別情報２を維持し管理することができる。したがって、従来のように骨壺１１を廃棄した場合に該骨壺１１に一体表記された識別情報２が失われるという問題は生じない。  
また、このように故人の識別情報２を維持管理しつつ骨壺１１の廃棄処分を行うことができることにより、ひいては後世におけるカロート不足の解消と改善につながり、また、新たに墓地を拡張しなければならないという課題の解決にもなる。また施主や遺族の心的な充実を満たすこともできる。
【００２６】
（３）識別証明プレートの修復あるいは復元が容易  
識別証明プレート１ａ、１ｂには、それが収納されている骨壺１１の配置環境により、昆虫や微生物の排泄物など予測できない付着物が発生することが考えられる。  
しかし、本発明の識別証明方法では、石英基板表記工程において、上述したように耐触性と耐熱性を特性としている石英の内部にエネルギー照射によって表記を行っているため、識別証明プレート表面への付着は少ない。さらに、石英基板表記工程前の石英基板準備工程では、石英基板の表面を研磨加工しているので、識別証明プレート１ａ、１ｂの各表面への付着は少ないといえる。  
また仮に各識別証明プレート１ａ、１ｂに異物が付着しても、アルコールなどで容易に洗浄により修復できる。  
また、キズや曇りの状態が発生しても各識別証明プレート１ａ、１ｂの表面のみを再研磨することにより、復元することができる。  
このように本発明の識別証明方法に用いる識別証明プレート１ａ、１ｂでは、該識別証明プレート１ａ、１ｂの修復、あるいは復元が容易である。しかも、従来のように付着物除去のために識別証明プレート１ａ、１ｂを削った際に生じる問題、すなわち、内部表記の情報が消えて識別証明が不可能となるという問題も生じない。
【００２７】
（４）石英からなる識別証明プレートは、心的にも好まれる  
古来から、仏事および神事に好んで用いられている材料として、天然の水晶が用いられていたことは周知の事実である。識別証明プレートの材質は、天然の水晶に近い、あるいは近似する材料の選択が必要であるところ、本発明の識別証明方法では、石英基板表記工程において準備される透明な二枚の石英基板は、天然の水晶と同一元素記号ＳｉＯ２で表示される石英材から形成している。そのため、仏事および神事に好んで用いられている石英からなる識別証明プレート１ａ、１ｂによって、供養または祈祷を行うことができ、これにより、金属及び樹脂などからなる識別証明プレートを用いた場合に比し、施主や遺族に心的な満足を与えることができる。  
なお天然の水晶を用いた場合には製造コストが高くなるが、本発明のように、合成石英や溶融石英を用いた場合には、安価に製造できる。
【００２８】
（５）識別証明プレートの準備時間を短縮できる  
従来の遺骨の識別証明方法では、石英によって形成された識別証明プレート１ａ、１ｂを用いるとともに、該各識別証明プレート１ａ、１ｂの内部に識別情報を表記するから、識別証明プレート１ａ、１ｂの製造時間が従来に比し短縮し、識別証明プレート１ａ、１ｂの製造依頼後、納入までの納期が短縮する。
【００２９】
また、この実施例の識別証明方法のように、標準情報準備工程を具えているから、ＩＴ技術により識別情報２とともに石英基板に記載される情報のうちの一部の情報（標準情報）を標準化することができ、これにより、識別情報プレート作成工程での処理が短時間で完了できることとなって、識別証明プレート１ａ、１ｂの納入を、より一層早くすることができる。  
なお、識別証明プレート１ａ、１ｂの発送の方法としては、最近の流通手段を利用することにより、識別証明プレート１ａ、１ｂの作成依頼の翌日に納入することが可能である。  
また、このように識別証明プレートの納期が短縮化することは、遺骨の識別証明方法における識別証明プレートの準備期間を短縮できることとなり、しかも火葬場のおける骨揚げ時前、故人の火葬前、又は読経・司祭・祝詞などによる供養または祈祷の前に確実に識別証明プレート１ａ、１ｂを納入できることとなって、識別証明プレート配置工程を、供養または祈祷を済ませてから骨揚げの行事にあわせることが可能となって、施主や遺族の心的な充実（満足）を満たすことができる。  
なお、識別証明プレート１ａ、１ｂの納期の短縮化は、上記研磨工程により、識別証明プレート１ａ、１ｂの半製品である透明な石英基板を用意するようにしたことによっても図られる。
【００３０】
（６）どのような種類や形状の骨壺にでも利用できる  
この発明の識別証明方法では、上記第一の石英基板配置工程と上記第二の石英基板配置工程において、それぞれ識別証明プレート１ａ、１ｂを骨壺１１内に配置するようにしているから、市販のどのような種類や形状の骨壺１１を用いた場合であっても、遺骨５１の上方と下方に、各識別証明プレート１ａ、１ｂを配置する空間があれば、本発明の識別証明方法を利用することができる。
【００３１】
（７）識別証明プレートの不変性により、識別証明性が持続する  
本発明の識別証明方法では、及び識別証明プレート作成工程において準備される基板の素材は石英材、特に、脈理のない金属不純物がきわめて少ない石英材を利用している。  
そのような石英材は、酸やアルカリなどの薬品に対しても侵されにくいという特徴と、熱にも強いという特性を持っている。一般には、通常の窓板ガラスの軟化点（ガラスが柔らかくなり伸びるようになる温度）は、６００〜７００℃であるのに対して、脈理のない金属不純物がきわめて少ない石英材の軟化点は１７００℃程度と高くなっており、脈理のない金属不純物がきわめて少ない石英材は１１００℃の高温域までの用途に使用されている。  
すなわち、本発明の上記石英基板作成工程で準備される石英材としては、特に、脈理のない金属不純物がきわめて少ない石英材を利用しており、耐薬品性、耐蝕性及び耐熱性を有する。  
通常、遺骨５１の長期保存における環境の変化は、遺骨５１が収容された骨壺１１の配置環境を考えると、観察できない状況にある。本発明において用いられている識別証明プレート１ａ、１ｂは、クォ−ツ（石英）の持つ耐薬品性、結露による液没時や昆虫および微生物による影響などの下における耐食性、あるいは耐熱性を有し、これにより不変性が高い。  
なお、上記耐熱性により、通常の自然界での常温保管では、識別証明プレート１ａ、１ｂは変色もしないために表記内容が良好な状態で保存され、また火葬後に使用する場合の高温に対しても、例えば屋内保管で火災が発生した場合でも、識別証明プレート１ａ、１ｂは可及的に変質することなく維持される。
【００３２】
（８）ＩＴ技術により、二次元または三次元でのデザイン表記が可能  
標準情報準備工程及び識別証明プレート作成工程では、ＩＴ技術が取り入れられている。このＩＴ技術とは、故人の識別情報２に応じた文字入力、写真、絵柄及び図形などのスキャニングによる読み取りとそのデザイン化作業と、素材として採用している石英（クォーツ）の特性に合わせた加工情報のデータベース化である。これにより二次元または三次元での表記が可能となり、識別証明プレートを完成できる。またその製法に合わせて、発送・代金決済を含めた一連の作業にＩＴ技術が利用されている。
【産業上の利用可能性】
【００３３】
（１）葬祭ディレクターや石材店における利用  
厚生労働省が推進している葬祭ディレクターの認定制度などでも見られるように、葬祭分野の実施要領は、今後の改訂が見込まれる。将来実際に作業をする人が、普段は確認することができない遺骨の状態を施主や家族に説明ができることが要求される時期がきている。したがって、葬祭ディレクターその他の葬祭に携わる人が、本発明の識別証明方法を使用することが考えられる。また、本発明の識別証明方法の使用は、石材店において行うことも考えられる。なお、このような本発明の識別証明方法の使用によって、経済的効果を得ることができると予想される。
【００３４】
また、本発明の遺骨の識別証明方法で用いる識別証明プレートは、後世に残す思いやりを込めた製品として販売可能であり、葬祭ディレクターや石材店において該製品の販売することも考えられ、これによって経済的効果を得ることができると予想される。
【００３５】
（２）ペットの遺骨の識別証明方法としての利用
本発明の遺骨の識別証明方法は、人間の遺骨の識別証明することを主目的としたものであるが、犬や猫などのペットの遺骨を識別証明する方法としても利用可能である。なお、ペットの遺骨の識別証明方法においては、上記標準寸法より大きい寸法の石英基板を用い、該石英基板に生前の記録が残る写真画像を表記させるようにしてもよい。
【００３６】
（３）その他の利用法
本発明の識別証明方法は、遺骨の識別証明を行うための方法であるが、本発明の識別証明方法は、遺骨以外の識別証明方法としても利用可能である。例えば、長期的に保存する仏具・神具または記念品（以下、単に「仏具等」という。）などを収納する場合、その収納容器を保管する場所は、骨壺に比べ、何ら制限がないと考えられるが、この仏具等の識別証明の有力な手段としても活用できる。また、本発明の識別証明方法は、識別情報の記載だけで識別や理解が可能である点で簡易な識別証明方法といえ、特に透明な石英基板に寄せ書きやデザインを内部表記をし、タイムカプセルに入れるような長期保管にも利用され得る。
【図面の簡単な説明】
【００３７】
【図１】図１は、本発明の遺骨の識別証明方法に用いられる識別証明プレートの一例を示す概念図で、特に図１（ａ）は該識別証明プレートの概念平面図であり、図１（ｂ）は該識別証明プレートの概念平面図である。
【図２】図２は、本発明の遺骨の識別証明方法の手順を示す概念図で、骨壺内の様子を示す図である。
【図３】図３は、本発明の遺骨の識別証明方法の手順を示す概念図で、骨壺内の様子を示す図である。
【図４】図４は、本発明の遺骨の識別証明方法の手順を示す概念図で、骨壺内の様子を示す図である。
【図５】図５は、骨壷の配置環境を示す概念図である。
【符号の説明】
【００３８】
１ａ、1ｂ  識別証明プレート
１ａ  一方の識別証明プレート
１ｂ  他方の識別証明プレート
２  識別情報
１１  骨壺
１１ａ  骨壺本体
１１ｂ  骨壺の蓋
２１  墓石
２２  カロート（遺骨棺）
２３  墓誌
５１  遺骨
【図１】
2006320393.tif 000003
【図２】
2006320393.tif 000004
【図３】
2006320393.tif 000005
【図４】
2006320393.tif 000006
【図５】
2006320393.tif 000007